(57)【要約】【課題】  枕扱き作業時における脱穀フィードチェーンでの詰まりを阻止するとともに、手刈り穀稈の脱穀フィードチェーンへの供給作業を容易に行い得るものを提供する。【解決手段】  刈取部で刈り取った穀稈を脱穀装置に向けて搬送する縦搬送装置６の終端から脱穀フィードチェーン１０の始端部に掛けての穀稈受渡部位に、補助供給搬送装置１２を設ける。補助供給搬送装置１２と脱穀フィードチェーン１０との横側方を覆うカバー体２２を設ける。補助供給搬送装置１２の搬送経路を前記カバー体２２の上端より上方に位置させるとともに、補助供給搬送装置１２の駆動状態を入り切りする操作スイッチ２３をカバー体２２に設けてある。【選択図】        図２
2005143409.tif 000002
【特許請求の範囲】
【請求項１】
刈取部で刈り取った穀稈を脱穀装置に向けて搬送する縦搬送装置の終端から脱穀フィードチェーンの始端部に掛けての穀稈受渡部位に、補助供給搬送装置を設けるとともに、前記補助供給搬送装置と前記脱穀フィードチェーンとの横側方を覆うカバー体を設け、前記補助供給搬送装置の搬送経路を前記カバー体の上端より上方に位置させるとともに、前記補助供給搬送装置の駆動状態を入り切りする操作スイッチを前記カバー体に設けてある脱穀穀稈搬送構造。
【請求項２】
脱穀フィードチェーンとその脱穀フィードチェーンの横側方を覆うカバー体とを設け、前記脱穀フィードチェーンの穀稈搬送経路を前記カバー体の上端より上方に位置させるとともに、前記脱穀フィードチェーンの駆動状態を入り切りする切換操作スイッチを前記カバー体に設けてある脱穀穀稈搬送構造。
【発明の詳細な説明】
【技術分野】
【０００１】
本発明は、縦搬送装置で刈取り穀稈を脱穀装置に向けて搬送するとともに脱穀フィードチェーンに引き渡すべく構成してある脱穀穀稈搬送構造に関する。
【背景技術】
【０００２】
従来、脱穀フィードチェーンの始端部は縦搬送装置側に延出されており、チェーン部分は上方に露出していた。（特許文献１参照）。
【０００３】
【特許文献１】特開２００２−５８３１９号公報（図１，２）
【発明の開示】
【発明が解決しようとする課題】
【０００４】
圃場のコーナー部（枕地）の穀稈をコンバインで刈り取ることは困難なことから、作業者が手刈りで刈取り、脱穀装置のみを駆動しながら、刈り取った穀稈を脱穀フィードチェーンの始端部に供給して脱穀していた。
このような脱穀作業では、脱穀フィードチェーンの始端部が露出しているので、その露出部分に多量の手刈り穀稈を載置することがあり、フィードチェーンの搬送経路中で刈取穀稈を詰まらせることがあった。
また、脱穀フィードチェーンを駆動しながら、その上に刈取り穀稈を載置する必要があったために、作業に慎重さが要求され、作業能率が悪かった。
【０００５】
本発明の目的は、手刈り穀稈の脱穀作業を詰まり無く、作業能率を良くした状態で行える脱穀穀稈搬送構造を提供する点にある。
【課題を解決するための手段】
【０００６】
〔構成〕
請求項１に係る発明の特徴構成は、刈取部で刈り取った穀稈を脱穀装置に向けて搬送する縦搬送装置の終端から脱穀フィードチェーンの始端部に掛けての穀稈受渡部位に、補助供給搬送装置を設けるとともに、前記補助供給搬送装置と前記脱穀フィードチェーンとの横側方を覆うカバー体を設け、前記補助供給搬送装置の搬送経路を前記カバー体の上端より上方に位置させるとともに、前記補助供給搬送装置の駆動状態を入り切りする操作スイッチを前記カバー体に設けてある脱穀穀稈搬送構造点にあり、その作用効果は次の通りである。
【０００７】
〔作用〕
縦搬送装置の終端から脱穀フィードチェーンの始端部に掛けての穀稈受渡部位に、補助供給搬送装置を設けることによって、次のような作業形態を採ることができる。
つまり、操作スイッチにより補助供給搬送装置の作動を停止した状態で、カバー体の上方に位置する補助供給搬送装置の搬送経路上に手刈り穀稈を載置する。そして、操作スイッチを操作することによって補助供給搬送装置を作動させて、載置された手刈り穀稈を脱穀フィードチェーンの始端部に供給することができる。
または、停止状態にある補助供給搬送装置の搬送経路上に手刈り穀稈を載置し、その載置した手刈り穀稈を順次脱穀フィードチェーンの始端部に送り込むことによって、脱穀装置に手刈り穀稈を送り込むことができる。
縦搬送装置より脱穀フィードチェーンに刈取り穀稈を受け渡す場合には、操作スイッチを操作して、補助供給搬送装置を作動状態に維持すれば、補助供給搬送装置が縦搬送装置より穀稈を受け取って脱穀フィードチェーンに橋渡しすることができ、通常の刈取り作業も円滑に行える。
【０００８】
〔発明の効果〕
したがって、従来のように、作動状態にある脱穀フィードチェーンの始端部に直接手刈り穀稈を載置する必要はなく、静止状態にある補助供給搬送装置上に手刈り穀稈を載置するので、手刈り穀稈の脱穀作業を詰まり無く、作業能率を良くした状態で行えるようになった。
【０００９】
〔構成〕
本発明のうちの請求項２記載の発明では、上記請求項１記載の発明において、脱穀フィードチェーンとその脱穀フィードチェーンの横側方を覆うカバー体とを設け、前記脱穀フィードチェーンの穀稈搬送経路を前記カバー体の上端より上方に位置させるとともに、前記脱穀フィードチェーンの駆動状態を入り切りする切換操作スイッチを前記カバー体に設けてある点にあり、その作用効果は次の通りである。
【００１０】
〔作用〕
切換操作スイッチにより脱穀フィードチェーンの作動を停止した状態で、カバー体の上方に位置する搬送経路上に手刈り穀稈を載置する。そして、切換操作スイッチを操作することによって脱穀フィードチェーンを作動させて、載置された手刈り穀稈を脱穀装置に供給することができる。
【００１１】
〔効果〕
したがって、従来のように、作動状態にある脱穀フィードチェーンの始端部に直接手刈り穀稈を載置する必要はないので、手刈り穀稈の脱穀作業を詰まり無く、作業能率を良くした状態で行えるようになった。
【発明を実施するための最良の形態】
【００１２】
〔第１の実施形態〕
自脱型のコンバインについて説明する。図１に示すように、クローラ式走行装置１，１を装備した走行機体２に、昇降自在に刈取部３を設けるとともに、刈取部３に植立穀稈を引起す引起装置４、刈取装置５、刈取穀稈を後方の脱穀装置７に搬送する縦搬送装置６を備え、走行機体２に脱穀装置７、穀粒貯留部８を左右に並設し、縦搬送装置６の横側方に運転操縦部９を設けて自脱型コンバインを構成する。
【００１３】
図１及び２に示すように、縦搬送装置６は、刈取穀稈を縦姿勢で挾持する株元挾持搬送機構６Ａと、株元搬送機構６Ａの上方で穂先側を係止し株元挾持搬送機構６Ａと協働して搬送する穂先係止搬送機構６Ｂとを有しており、脱穀装置７の直前位置に搬送穀稈の株元を脱穀フィードチェーン１０に向けて案内する供給搬送装置６Ｃを備えている。
【００１４】
図２〜６に示すように、脱穀装置７の横外側方には、脱穀フィードチェーン１０が設置されており、脱穀フィードチェーン１０は、搬送後端側の駆動スプロケット１０Ａと搬送始端側の従動スプロケット１０Ｂとに渡って突起付きチェーン１０Ｃを掛け渡して構成してある。脱穀フィードチェーン１０の上方には、複数の案内レール部分１１ａをピン連結して一体的に上下動自在にかつ、脱穀フィードチェーン側に向けて付勢支持された挾持レール１１が設けてあり、脱穀フィードチェーン１０と挾持レール１１とで穀稈の株元を挾持して扱室内を移動させて、穀稈に扱ぎ作用を施すように構成してある。
【００１５】
補助供給搬送装置１２について説明する。図２から図４に示すように、補助供給搬送装置１２は、搬送後端側の駆動スプロケット１２Ａと搬送始端側の従動ローラ１２Ｄとに渡って突起付きチェーン１２Ｂが掛け渡されて構成してある。図６に示すように、補助供給搬送装置１２への動力供給は、エンジンＥからの動力伝達を受ける横向き伝動軸１３を走行機体２前端に形成した横向き伝動ケース２Ａ内に設け、横向き伝動軸１３より行われる。横向き伝動ケース２Ａには前方に向けてメインフレーム２Ｂが延出してあり、このメインフレーム２Ｂに刈取部５が支持されている。
【００１６】
図６に示すように、横向き伝動軸１３の横一側端より斜め上方に向けて縦向き伝動軸１４が立設され、縦向き伝動軸１４で供給搬送装置６Ｃ、及び、穂先係止搬送機構６Ｂを駆動するように構成してある。横向き伝動軸１３の他端よりチェーン伝動機構１５とギヤ伝動機構１６を介して補助供給搬送装置１２の駆動スプロケット１２Ａを駆動するように構成してある。
【００１７】
脱穀フィードチェーン１０の駆動構造は次の通りである。図６に示すように、エンジンＥの動力を唐箕軸１７を介して排塵ファン１９に伝達する。排塵ファン１９の出力軸よりギヤ機構２０を介して脱穀フィードチェーン１０の駆動スプロケット１０Ａに動力伝達するようにしてある。
【００１８】
補助供給搬送装置１２及びそのクラッチ機構について説明する。図６に示すように、補助供給搬送装置１２は、駆動スプロケット１２Ａと前後二つ遊転スプロケット１２Ｄ、１２Ｄとに渡って搬送チェーン１２Ｂを掛け渡して構成されており、前記した駆動構造によって駆動される。クラッチ機構は、ギヤ伝動機構１６のギヤ１６Ａを伝動軸にスプライン外嵌するとともに、アクチュエータ２１によって噛合い伝動状態と非噛み合い状態とに切換可能に構成して、補助供給搬送装置１２を作動する状態と非作動状態とに切り換えることができるようにしてある。
【００１９】
補助供給搬送装置１２と脱穀フィードチェーン１０との横側方には、それらの横側面を覆うカバー体２２が設けてあり、それらの位置関係は次のようになっている。図２〜図６に示すように、供給搬送装置６Ｃの終端部と脱穀フィードチェーン１０の始端部との穀稈受渡し部位に渡って補助供給搬送装置１２が設けてあり、これら３者は、供給搬送装置６Ｃが内側に位置し、その外側に補助供給搬送装置１２が位置し、その更に外側に脱穀フィードチェーン１０が位置している。脱穀フィードチェーン１０の前端よりも前方側で補助供給搬送装置１２の横側方は空き空間となっているので、図５に示すように、カバー体２２の前端部にその空間を覆うように、庇状の覆い板２２Ａがカバー体２２より補助供給搬送装置１２に向けて延出してある。
【００２０】
図２〜６に示すように、カバー体２２の側面に操作スイッチ２３が設けてある。補助供給搬送装置１２の搬送チェーン１２Ｂの上面に形成される搬送経路を前記カバー体２２の上端より上方に位置させて、手刈り穀稈を載置するのに容易に行えるようになっている。図６に示すように、操作スイッチ２３は制御装置２４を介してアクチュエータ２１を入り切り操作することができ、補助供給搬送装置１２の作動を入り切り制御する。
【００２１】
以上のような構成より、手刈り穀稈を脱穀する際には、補助供給搬送装置１２を非作動状態に設定し、手刈り穀稈をその補助供給搬送装置１２に載置する。その後、操作スイッチ２３により補助供給搬送装置１２を作動状態にする。そうすると、補助供給搬送装置１２の手刈り穀稈は作動状態にある脱穀フィードチェーン１０の始端部に供給される。
【００２２】
〔第２実施形態〕
第１実施形態と異なる部分について説明する。ここでは、補助供給搬送装置１２は備えていない。図７及び８に示すように、供給搬送装置６Ｃから供給される搬送穀稈は脱穀フィードチェーン１０に受け渡される。前記したように、脱穀フィードチェーン１０は手刈り穀稈を脱穀処理する枕扱き作業時においては、常に作動している。これに対して、ここでは、脱穀フィードチェーン１０の作動停止を任意に切り換えることができる
【００２３】
脱穀フィードチェーン１０の作動停止を任意に切り換える機構は、図７及び８に示すように、排塵ファン１９から脱穀フィードチェーン１０への動力伝達経路に設けれられているギヤ機構２０に電磁クラッチ機構２８を追加して脱穀フィードチェーン１０への動力を入り切りするように構成してある。このアクチュエータ２８を入り切りするスイッチとして切換操作スイッチ２５がその脱穀フィードチェーン１０の横側面を覆うカバー体２６に設けてあり、制御装置２７を介して切換操作スイッチ２５で入り切り操作できるように構成してある。なお、脱穀フィードチェーン１０の突起付きチェーン１０Ｃが形成する搬送経路は、カバー体２６よりも上方に位置している。
【００２４】
〔別実施形態〕
以下、本発明の別実施形態を列記する。
（イ）  操作スイッチ２３で補助供給搬送装置１２の駆動状態を入り切りすることにしてあるが、補助供給搬送装置１２ととともに、刈取装置５や縦搬送装置６の動力も同時に入り切りできるものでもよい。
（ロ）  前記したアクチュエータ２１としては、ソレノイドやシリンダを使用できる。
（ハ）  補助供給搬送装置１２や脱穀フィードチェーン１０への動力を入り切りする構成としては、電磁クラッチ以外にベルトテンション式のクラッチ等を採用してもよい。
【図面の簡単な説明】
【００２５】
【図１】コンバインの全体側面図
【図２】刈取穀稈の脱穀装置への搬送構造を示す平面図
【図３】補助供給搬送装置と脱穀フィードチェーンとを示す側面図
【図４】補助供給搬送装置と脱穀フィードチェーンとを示す正面図
【図５】供給搬送装置、補助供給搬送装置と脱穀フィードチェーンとの配置構成を示す斜視図
【図６】補助供給搬送装置と脱穀フィードチェーンへの動力伝達系統図
【図７】脱穀フィードチェーンを供給搬送装置側へ延出した状態を示す側面図
【図８】脱穀フィードチェーンへの動力伝達系統図
【符号の説明】
【００２６】
３      刈取部
６      縦搬送装置
７      脱穀装置
１０    脱穀フィードチェーン
１２    補助供給搬送装置
２２    カバー体
２３    操作スイッチ
２５    切換操作スイッチ
２６    カバー体
【図１】
2005143409.tif 000003
【図２】
2005143409.tif 000004
【図３】
2005143409.tif 000005
【図４】
2005143409.tif 000006
【図５】
2005143409.tif 000007
【図６】
2005143409.tif 000008
【図７】
2005143409.tif 000009
【図８】
2005143409.tif 000010